(57)【要約】【課題】ＰＣ上で動作するソフトによりＤＶカメラ・デッキなどを操作し、シーンを認識し、頭出しとキャプチャ開始の同期を取りながら、複数のテープから連続的にキャプチャすることが可能なＤＶキャプチャシステムを提供する。【解決手段】構成としては、ユーザが動作処理をおこなうＰＣ２と、ＰＣ２で制御されたＤＶテープを再生して、その映像信号４をＰＣ２に送出するＤＶデッキ１と、ＰＣ２とＤＶデッキ１を接続するＩＥＥＥ１３９４ケーブル３によりＤＶキャプチャシステムを形成している。【選択図】　　　図１
2004007520.tif 000002
【特許請求の範囲】
【請求項１】
コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャシステムであって、
前記コンピュータは、前記デジタルビデオテープ先頭のフレーム番号及び撮影日時の一対をテープ認識情報として保存する認識情報保存手段と、該認識情報保存手段により保存された認識情報と前記デジタルビデオテープ先頭のフレーム番号及び撮影日時とを比較する情報比較手段とを備え、
前記コンピュータは、前記デジタルビデオテープ先頭のテープ認識情報を取得して前記認識情報保存手段により保存された認識情報と比較することにより、前記デジタルビデオテープを特定及び認識することを特徴とするＤＶキャプチャシステム。
【請求項２】
前記コンピュータは、前記デジタルビデオテープ先頭のテープ認識情報を取得して前記認識情報保存手段により保存された認識情報と比較した結果、一致する認識情報が得られなかった場合、新たなテープ認識情報として前記認識情報保存手段により保存することを特徴とする請求項１に記載のＤＶキャプチャシステム。
【請求項３】
前記コンピュータは、複数のデジタルビデオテープにまたがってキャプチャする場合、当該デジタルビデオテープの映像記録部分の終端までキャプチャして停止し、次のデジタルビデオテープの交換を促すと共に、新たなデジタルビデオテープに交換されたことを前記情報比較手段により認識することにより、連続してキャプチャすることを可能としたこと特徴とする請求項１に記載のＤＶキャプチャシステム。
【請求項４】
前記コンピュータは、複数のデジタルビデオテープにまたがってキャプチャする場合、当該デジタルビデオテープの映像記録部分の終端までキャプチャして停止し、次のデジタルビデオテープの交換を促した際、新たなデジタルビデオテープに交換されたことを前記情報比較手段により認識されなかった場合、前記複数のデジタルビデオテープのキャプチャを終了すること特徴とする請求項１又は３に記載のＤＶキャプチャシステム。
【請求項５】
コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャ方法であって、
前記コンピュータは、前記デジタルビデオテープ先頭のフレーム番号及び撮影日時の一対をテープ認識情報として保存する認識情報保存ステップと、該認識情報保存ステップにより保存された認識情報と前記デジタルビデオテープ先頭のフレーム番号及び撮影日時とを比較する情報比較ステップとを備え、
前記コンピュータは、前記デジタルビデオテープ先頭のテープ認識情報を取得して前記認識情報保存ステップにより保存された認識情報と比較することにより、前記デジタルビデオテープを特定及び認識することを特徴とするＤＶキャプチャ方法。
【請求項６】
前記コンピュータは、前記デジタルビデオテープ先頭のテープ認識情報を取得して前記認識情報保存ステップにより保存された認識情報と比較した結果、一致する認識情報が得られなかった場合、新たなテープ認識情報として前記認識情報保存ステップにより保存することを特徴とする請求項５に記載のＤＶキャプチャ方法。
【請求項７】
前記コンピュータは、複数のデジタルビデオテープにまたがってキャプチャする場合、当該デジタルビデオテープの映像記録部分の終端までキャプチャして停止し、次のデジタルビデオテープの交換を促すと共に、新たなデジタルビデオテープに交換されたことを前記情報比較ステップにより認識することにより、連続してキャプチャすることを可能としたこと特徴とする請求項５に記載のＤＶキャプチャ方法。
【請求項８】
前記コンピュータは、複数のデジタルビデオテープにまたがってキャプチャする場合、当該デジタルビデオテープの映像記録部分の終端までキャプチャして停止し、次のデジタルビデオテープの交換を促した際、新たなデジタルビデオテープに交換されたことを前記情報比較ステップにより認識されなかった場合、前記複数のデジタルビデオテープのキャプチャを終了すること特徴とする請求項５又は７に記載のＤＶキャプチャ方法。
【請求項９】
請求項５乃至８の何れか一項に記載のＤＶキャプチャ方法をコンピュータが制御可能にプログラミングしたことを特徴とするＤＶキャプチャ処理プログラム。
【請求項１０】
請求項９に記載のＤＶキャプチャ処理プログラムをコンピュータが読み取り可能な形式で記録したことを特徴とする記録媒体。
【請求項１１】
デジタルビデオテープを再生するＤＶ再生装置若しくはＤＶカメラにより再生された映像信号を取得し、前記デジタルビデオテープ先頭のフレーム番号及び撮影日時の一対をテープ認識情報として保存する認識情報保存手段と、該認識情報保存手段により保存された認識情報と前記デジタルビデオテープ先頭のフレーム番号及び撮影日時とを比較する情報比較手段とを備え、
前記デジタルビデオテープ先頭のテープ認識情報を取得して前記認識情報保存手段により保存された認識情報と比較することにより、前記デジタルビデオテープを特定及び認識することを特徴とするコンピュータ。
【発明の詳細な説明】
【０００１】
【発明の属する技術分野】
本発明は、ＤＶキャプチャシステム、ＤＶキャプチャ処理プログラム及び記録媒体に関し、詳細には、コンピュータとデジタルビデオテープを再生する再生装置がＩＥＥＥ１３９４ケーブルで接続され、コンピュータからの制御で再生装置が複数のデジタルビデオテープを再生して、当該コンピュータに送出する再生映像信号を手軽に動画ファイル化するＤＶキャプチャシステム、ＤＶキャプチャ処理プログラム及び記録媒体に関する。
【０００２】
【従来の技術】
従来、ＤＶ（デジタルビデオ）テープからの映像信号をコンピュータに入力する動画キャプチャは、１本のＤＶテープのみを対象としている。
ところが、一般的に、ＤＶテープに記録できる時間は、ビデオテープに比較して短く、１つのシーンを複数のテープにまたがって録画することも、通常、よく行われている。この場合、従来においては、ＤＶテープ１本毎に、動画キャプチャを行い、その後、編集をするという作業を行っているが、複数のテープを扱うと、どのテープにどのような内容の画像が録画されているかを認識する必要があり、作業性が悪いという問題がある。
そして、従来、テープ状記録媒体に動画像情報を記録する記録手段と、前記テープ状記録媒体に記録された前記動画像情報を再生する再生手段と、前記動画像情報に追加して記録すべき第１の画像情報を入力する画像入力手段と、前記第１の画像情報を記録したい前記動画像情報からなるシーンを指定するシーン指定手段と、前記再生手段が前記シーン指定手段の指定する前記シーンの先頭部分に記録されている前記動画像情報を再生して出力した第２の画像情報と、前記画像入力手段から得られた前記第１の画像情報とを多重し、第３の画像情報として出力する画像多重手段と、前記画像多重手段の出力する前記第３の画像情報を前記記録手段に送って前記シーンの先頭付近に記録させる記録制御手段とを具備する画像記録再生装置が提案されている（特許文献１参照）。
すなわち、この従来技術は、テープ状記録媒体に記録された任意のシーンの先頭位置付近にタイトル画像を記録し、再生するものである。
【特許文献１】特開２０００−１６３９３１公報
【０００３】
【発明が解決しようとする課題】
しかしながら、特許文献１のような従来公報の技術にあっては、テープ状記録媒体に記録された任意のシーンの先頭位置付近にタイトル画像を記録し、再生しているため、再生時の頭出しは、容易に行うことができるが、複数のＤＶテープから連続的にキャプチャを行うことができず、改良の必要があった。
複数のテープを扱うことは、どのテープであるかを認識することができなければならない。ＤＶテープには、１フレーム（３０フレームで１秒）毎に映像、音声及び付加情報が記録されており、付加情報に、テープ先頭からのフレーム番号、撮影日時が記録されていおり、この付加情報のペアで、一意にテープを特定することができる。また、撮影日時情報により、キャプチャした映像の連続性も期待できる。このようなＤＶキャプチャシステムにおいて、コンピュータ上で動作するソフトウェアによりＤＶカメラやＤＶデッキ等の再生装置を操作して、テープを認識し、テープの頭出しとキャプチャ開始の同期を取って、複数のテープから連続的にキャプチャを行うことが可能であれば、キャプチャ及び編集の能率は大幅に向上させることができる。
本発明は、かかる課題に鑑み、ＰＣ上で動作するソフトによりＤＶカメラ・デッキなどを操作し、シーンを認識し、頭出しとキャプチャ開始の同期を取りながら、複数のテープから連続的にキャプチャすることが可能なＤＶキャプチャシステムを提供することを目的する。
【０００４】
【課題を解決するための手段】
本発明はかかる課題を解決するために、請求項１は、コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャシステムであって、前記コンピュータは、前記デジタルビデオテープ先頭のフレーム番号及び撮影日時の一対をテープ認識情報として保存する認識情報保存手段と、該認識情報保存手段により保存された認識情報と前記デジタルビデオテープ先頭のフレーム番号及び撮影日時とを比較する情報比較手段とを備え、前記コンピュータは、前記デジタルビデオテープ先頭のテープ認識情報を取得して前記認識情報保存手段により保存された認識情報と比較することにより、前記デジタルビデオテープを特定及び認識することを特徴とする。
請求項２は、前記コンピュータは、前記デジタルビデオテープ先頭のテープ認識情報を取得して前記認識情報保存手段に保存された認識情報と比較した結果、一致する認識情報が得られなかった場合、新たなテープ認識情報として前記認識情報保存手段に保存することを特徴とする。
請求項３は、前記コンピュータは、複数のデジタルビデオテープにまたがってキャプチャする場合、当該デジタルビデオテープの映像記録部分の終端までキャプチャして停止し、次のデジタルビデオテープの交換を促すと共に、新たなジタルビデオテープに交換されたことを前記情報比較手段により認識することにより、連続してキャプチャすることを可能としたこと特徴とする。
【０００５】
請求項４は、前記コンピュータは、複数のデジタルビデオテープにまたがってキャプチャする場合、当該デジタルビデオテープの映像記録部分の終端までキャプチャして停止し、次のデジタルビデオテープの交換を促した際、新たなデジタルビデオテープに交換されたことを前記情報比較手段により認識されなかった場合、前記複数のデジタルビデオテープのキャプチャを終了すること特徴とする。請求項５は、コンピュータとデジタルビデオテープを再生するＤＶ再生装置若しくはＤＶカメラがケーブルにより接続され、前記コンピュータの制御の下に前記ＤＶ再生装置、若しくはＤＶカメラにより再生された映像信号を前記コンピュータに送出するＤＶキャプチャ方法であって、前記コンピュータは、前記デジタルビデオテープ先頭のフレーム番号及び撮影日時の一対をテープ認識情報として保存する認識情報保存ステップと、該認識情報保存ステップにより保存された認識情報と前記デジタルビデオテープ先頭のフレーム番号及び撮影日時とを比較する情報比較ステップとを備え、前記コンピュータは、前記デジタルビデオテープ先頭のテープ認識情報を取得して前記認識情報保存ステップにより保存された認識情報と比較することにより、前記デジタルビデオテープを特定及び認識することを特徴とする。
請求項６は、前記コンピュータは、前記デジタルビデオテープ先頭のテープ認識情報を取得して前記認識情報保存ステップにより保存された認識情報と比較した結果、一致する認識情報が得られなかった場合、新たなテープ認識情報として前記認識情報保存ステップにより保存することを特徴とする。
請求項７は、前記コンピュータは、複数のデジタルビデオテープにまたがってキャプチャする場合、当該デジタルビデオテープの映像記録部分の終端までキャプチャして停止し、次のデジタルビデオテープの交換を促すと共に、新たなジタルビデオテープに交換されたことを前記情報比較ステップにより認識することにより、連続してキャプチャすることを可能としたこと特徴とする。
【０００６】
請求項８は、前記コンピュータは、複数のデジタルビデオテープにまたがってキャプチャする場合、当該デジタルビデオテープの映像記録部分の終端までキャプチャして停止し、次のデジタルビデオテープの交換を促した際、新たなデジタルビデオテープに交換されたことを前記情報比較ステップにより認識されなかった場合、前記複数のデジタルビデオテープのキャプチャを終了すること特徴とする。
請求項９は、請求項５乃至８の何れか一項に記載のＤＶキャプチャ方法をコンピュータが制御可能にプログラミングしたことを特徴とする。
請求項１０は、請求項９に記載のＤＶキャプチャ処理プログラムをコンピュータが読み取り可能な形式で記録したことを特徴とする。
請求項１１は、デジタルビデオテープを再生するＤＶ再生装置若しくはＤＶカメラにより再生された映像信号を取得し、前記デジタルビデオテープ先頭のフレーム番号及び撮影日時の一対をテープ認識情報として保存する認識情報保存手段と、該認識情報保存手段により保存された認識情報と前記デジタルビデオテープ先頭のフレーム番号及び撮影日時とを比較する情報比較手段とを備え、前記デジタルビデオテープ先頭のテープ認識情報を取得して前記認識情報保存手段により保存された認識情報と比較することにより、前記デジタルビデオテープを特定及び認識することを特徴とする。
【０００７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない図１は、本発明のデジタルビデオキャプチャシステム、デジタルビデオキャプチャ制御処理プログラム及びプログラム記録媒体の第１の実施の形態を示す図であり、図１は、本発明のデジタルビデオキャプチャシステム、デジタルビデオキャプチャ制御処理プログラム及びプログラム記録媒体の第１の実施の形態を適用したＤＶキャプチャシステム１のシステム構成図である。尚、認識情報保存手段（ステップ）、及び情報比較手段（ステップ）は主としてＰＣ３内のプログラムにより構成される。
【０００８】
図１において、ＤＶキャプチャシステム（デジタルビデオキャプチャシステム）１は、再生装置としてのＤＶデッキ２とコンピュータとしてのパーソナルコンピュータ（ＰＣ）３がＩＥＥＥ１３９４ケーブル４により接続されている。
ＤＶデッキ２は、ＤＶテープの記録及び再生を行う機能を有しており、特に、ＩＥＥＥ１３９４ケーブル４を介してパーソナルコンピュータ３から入力される制御信号に基づいて再生動作を行って、再生した動画像の映像信号や付加情報等をＩＥＥＥ１３９４ケーブル４を介してパーソナルコンピュータ３に送信する。ＤＶテープ（デジタルビデオテープ）は、１フレーム（３０フレームで１秒）毎に映像、音声及び付加情報が記録され、付加情報に、ＤＶテープの先頭からのフレーム番号、撮影日時が記録されている。ＤＶテープは、付加情報のペアで、一意にテープを特定することができ、また、撮影日時情報により、キャプチャした映像の連続性も期待することができる。
パーソナルコンピュータ３は、通常のパーソナルコンピュータであり、本体３ａと表示部３ｂ及び図示しないキーボードやマウス等のポインティングディバイス等を備えている。表示部３ｂは、パーソナルコンピュータ３の各種情報を表示出力し、特に、本体３ａがＤＶデッキ２から取得した映像や各種情報を表示出力する。
【０００９】
パーソナルコンピュータ３は、その本体３ａに、ＩＥＥＥ１３９４のコネクタを備えており、ＩＥＥＥ１３９４ケーブル４によりＤＶデッキ２に接続されている。パーソナルコンピュータ３は、ＤＶキャプチャ制御処理プログラム（デジタルビデオキャプチャ制御処理プログラム）の記録されているフロッピー（登録商標）ディスクやＣＤ−ＲＯＭ（Ｃｏｍｐａｃｔ　Ｄｉｓｃ−Ｒｅａｄ　Ｏｎｌｙ　Ｍｅｍｏｒｙ）等の記録媒体を本体３ａのドライバに読み取らせて、導入することで、後述するＤＶキャプチャ制御処理を実行し、ＩＥＥＥ１３９４ケーブル４によりＤＶデッキ２と接続されることでＤＶキャプチャシステム１を構築する。
パーソナルコンピュータ３は、ＩＥＥＥ１３９４ケーブル４を介してＤＶデッキ２に制御信号を出力して、ＤＶデッキ２の動作を制御し、ＤＶテープの先頭のフレームのフレーム番号と撮影日時のペアをテープ認識情報として取得して、内部メモリに記録、保存する。
【００１０】
以下、本発明を図示した実施例に基づいて説明する。本実施の形態のＤＶキャプチャシステム１は、パーソナルコンピュータ３がＤＶデッキ２の動作を制御して、ＤＶテープが交換されるたびに、ＤＶテープの先頭のフレームのフレーム番号と撮影日時のペアをテープ認識情報として取得して、パーソナルコンピュータ３上に記録・保存し、パーソナルコンピュータ３に記録・保存しているテープ認識情報と一致するかチェックしてＤＶテープを特定するところにその特徴がある。
このＤＶキャプチャシステム１は、パーソナルコンピュータ３にＤＶキャプチャ制御プログラムの記録されているＣＤ−ＲＯＭ等の記録媒体を本体３ａのドライバに読み取らせて、導入することで、ＤＶキャプチャ制御処理を実行し、ＩＥＥＥ１３９４ケーブル４によりＤＶデッキ２と接続されることで構築される。
【００１１】
図２は、本発明のＤＶキャプチャシステム、ＤＶキャプチャ処理プログラム及びプログラム記録媒体の第１の実施の形態を適用したＤＶキャプチャシステムによるＤＶキャプチャ制御処理を示すフローチャートである。そして、ＤＶキャプチャシステム１は、パーソナルコンピュータ３が制御信号をＩＥＥＥ１３９４ケーブル４を介してＤＶデッキ２に出力して、ＤＶデッキ２を制御し、ＤＶデッキ２にＤＶテープが挿入されると、図２に示すように、ＤＶテープの先頭のフレームのフレーム番号と撮影日時のペアをテープ認識情報として取得し（ステップＳ１０１）、取得したフレーム番号と撮影日時のペアのテープ認識情報を、予めパーソナルコンピュータ３のメモリに記録・保存されているテープ認識情報と比較する（ステップＳ１０２）。
パーソナルコンピュータ３は、取得したフレーム番号と撮影日時のペアのテープ認識情報と一致するテープ認識情報が、予めパーソナルコンピュータ３のメモリに記録・保存されているテープ認識情報にあるかチェックし（ステップＳ１０３）、一致するテープ認識情報があるときには、当該ＤＶデッキ２に挿入されたＤＶテープをパーソナルコンピュータ３のメモリに記録・保存されているテープ認識情報に基づいて特定して、ＤＶキャプチャ制御処理を終了する（ステップＳ１０４）。
ステップＳ１０３で、取得したフレーム番号と撮影日時のペアのテープ認識情報と一致するテープ認識情報が、予めパーソナルコンピュータ３のメモリに記録・保存されていないときには、当該取得したフレーム番号と撮影日時のペアのテープ認識情報をパーソナルコンピュータ３のメモリに記録・保存して、ＤＶキャプチャ制御処理を終了する（ステップＳ１０５）。
このように、本実施の形態のＤＶキャプチャシステム１は、パーソナルコンピュータ３とＤＶテープを再生するＤＶデッキ２がＩＥＥＥ１３９４ケーブル４で接続され、パーソナルコンピュータ３からの制御でＤＶデッキ２がＤＶテープを再生して、パーソナルコンピュータ３に再生映像信号を送出するに際して、パーソナルコンピュータ３が、ＤＶデッキ２から送られてくる再生映像を表示部３ｂに表示するとともに、ＤＶデッキ２に挿入されているＤＶテープのフレーム番号と撮影日時をテープ確認情報として取得して、テープ確認情報に基づいてＤＶテープを特定している。
したがって、複数のＤＶテープを容易に認識することができ、ＤＶテープの管理に掛かる労力を大幅に軽減して、利用性を向上させることができる。
【００１２】
図３は、本発明のＤＶキャプチャシステム、ＤＶキャプチャ処理プログラム及びプログラム記録媒体の第２の実施の形態を適用したＤＶキャプチャシステムによるＤＶキャプチャ制御処理を示すフローチャートである。
なお、本実施の形態は、上記第１の実施の形態のＤＶキャプチャシステム１と同様のＤＶキャプチャシステムに適用したものであり、本実施の形態の説明においては、必要に応じて、上記第１の実施の形態の説明で用いた符号をそのまま用いて説明する。
本実施の形態のＤＶキャプチャシステム１は、ＤＶデッキ２に挿入されたＤＶテープのキャプチャを当該ＤＶテープの映像記録部分の最後まで行うと、キャプチャを終了することなく、当該キャプチャを一旦停止して、ＤＶテープの交換を促して、ＤＶテープが交換されると、当該交換されたＤＶテープのキャプチャを続いて行う処理をＤＶテープの交換が行われなくなるまで行って、複数のＤＶテープのキャプチャを連続して行うところにその特徴がある。
【００１３】
本実施の形態のＤＶキャプチャシステム１は、上記第１の実施の形態のＤＶキャプチャシステム１の場合と同様に、パーソナルコンピュータ３にＤＶキャプチャ制御プログラムの記録されているＣＤ−ＲＯＭ等の記録媒体を本体３ａのドライバに読み取らせて、導入することで、ＤＶキャプチャ制御処理を実行し、ＩＥＥＥ１３９４ケーブル４によりＤＶデッキ２と接続されることで構築される。
そして、ＤＶキャプチャシステム１は、図３に示すように、パーソナルコンピュータ３が制御信号をＩＥＥＥ１３９４ケーブル４を介してＤＶデッキ２に出力して、ＤＶデッキ２を制御し、パーソナルコンピュータ３は、ＤＶデッキ２にＤＶテープが挿入されると、ＤＶデッキ２に再生処理を行わせて、ＤＶデッキ３で再生される映像をＩＥＥＥ１３９４ケーブル４を介して取得して、表示部３ｂに表示させる。
パーソナルコンピュータ３は、この表示部３ｂへの映像の表示を見たユーザが、キャプチャを指示すると、当該ＤＶテープの映像のキャプチャを開始して、当該ＤＶテープの映像記録部分の最後までキャプチャを行うと（ステップＳ２０１）、キャプチャを終了することなく、当該キャプチャを一旦停止して、ＤＶテープの交換を促す表示を表示部３ｂに行い（ステップＳ２０２）、ＤＶテープが交換されたかどうかチェックする（ステップＳ２０３）。
ステップＳ２０３で、ＤＶテープの交換が行われると、ステップＳ２０１に戻って、上記同様に、当該交換されたＤＶテープの映像記録部分の最後までキャプチャすると、キャプチャを終了することなく、当該キャプチャを一旦停止して、ＤＶテープの交換を促す旨の表示を表示部３ｂに行って、ＤＶテープが交換されたかどうかチェックする処理を行い（ステップＳ２０１〜Ｓ２０３）、ステップＳ２０３で、ＤＶテープの交換が行われると、再度、ステップＳ２０１に戻って、上記同様の処理を順次繰り返し行う。
そして、ステップＳ２０３で、ＤＶテープの交換が行われないと、複数のＤＶテープのキャプチャを終了する（ステップＳ２０４）。
【００１４】
このように、本実施の形態のＤＶキャプチャシステム１は、パーソナルコンピュータ３が、ＤＶデッキ２から送られてくるＤＶテープの再生映像のキャプチャ指示があると、当該ＤＶテープの映像をキャプチャし、当該ＤＶテープの映像の記録部分の終端までキャプチャすると、当該キャプチャを終了することなく一旦停止して、新たなＤＶテープがＤＶデッキ２に挿入されると、当該新たなＤＶテープの映像のキャプチャを再開する処理を順次複数のＤＶテープにまたがって実行している。
したがって、複数のＤＶテープをより一層容易に認識することができ、複数のＤＶテープにまたがったキャプチャをテープごとに行いのちに編集するといった手間をかけることなく、ＤＶテープの管理に掛かる労力をより一層大幅に軽減して、利用性をより一層向上させることができる。
以上、本発明者によってなされた発明を好適な実施の形態に基づき具体的に説明したが、本発明は上記のものに限定されるものではなく、その要旨を逸脱しない範囲で種々変更可能であることはいうまでもない。
例えば、上記各実施の形態においては、パーソナルコンピュー３と再生装置としてのＤＶデッキ２がＩＥＥＥ１３９４ケーブル４で接続されている場合について説明したが、再生装置としては、ＤＶデッキ２に限るものではなく、ＤＶカメラ等のＤＶテープを再生する装置であれば、同様に適用することができる。
【００１５】
【発明の効果】
請求項１、２、５、６記載の発明のデジタルビデオキャプチャシステムによれば、コンピュータとデジタルビデオテープを再生する再生装置がＩＥＥＥ１３９４ケーブルで接続され、コンピュータからの制御で再生装置がデジタルビデオテープを再生して、当該コンピュータに再生映像信号を送出するに際して、コンピュータが、再生装置から送られてくる再生映像を表示部に表示するとともに、当該再生装置に挿入されているデジタルビデオテープのフレーム番号と撮影日時をテープ確認情報として取得して、当該テープ確認情報に基づいて当該デジタルビデオテープを特定するので、複数のデジタルビデオテープを容易に認識することができ、デジタルビデオテープの管理に掛かる労力を大幅に軽減して、利用性を向上させることができる。
請求項３、４、７、８記載の発明のデジタルビデオキャプチャシステムによれば、コンピュータが、再生装置から送られてくるデジタルビデオテープの再生映像のキャプチャ指示があると、当該デジタルビデオテープの映像をキャプチャし、当該デジタルビデオテープの映像の記録部分の終端までキャプチャすると、当該キャプチャを終了することなく一旦停止して、新たなデジタルビデオテープが再生装置に挿入されると、当該新たなデジタルビデオテープの映像のキャプチャを再開する処理を順次複数のデジタルビデオテープにまたがって実行するので、複数のデジタルビデオテープをより一層容易に認識することができ、デジタルビデオテープの管理に掛かる労力をより一層大幅に軽減して、利用性をより一層向上させることができる。
請求項９記載の発明によれば、本発明のＤＶキャプチャ方法をコンピュータが制御可能なＯＳに従ってプログラミングすることにより、そのＯＳを備えたコンピュータであれば同じＤＶキャプチャ方法により制御することができる。
請求項１０記載の発明によれば、ＤＶキャプチャ処理プログラムをコンピュータが読み取り可能な形式で記録媒体に記録することにより、この記録媒体を持ち運ぶことにより何処でもＤＶキャプチャ処理プログラムを稼動することができる。
請求項１１記載の発明によれば、請求項１と同様の作用効果を奏する。
【図面の簡単な説明】
【図１】本発明の第１の実施の形態を示す図である。
【図２】本発明の第１の実施の形態を適用したＤＶキャプチャシステムによるＤＶキャプチャ制御処理を示すフローチャートである。
【図３】本発明の第２の実施の形態を適用したＤＶキャプチャシステムによるＤＶキャプチャ制御処理を示すフローチャートである。
【符号の説明】
１　　ＤＶキャプチャシステム
２　　ＤＶデッキ
３　　パーソナルコンピュータ
３ａ　本体
３ｂ　表示部
４　　ＩＥＥＥ１３９４ケーブル
【図１】
2004007520.tif 000003
【図２】
2004007520.tif 000004
【図３】
2004007520.tif 000005